(57)【要約】      （修正有）【課題】片手で押すことにより、携帯電話を自動的にクランプ又は解放可能な電動挟持装置を提供する。【解決手段】ハウジング１と、挟持ユニット２と、電気駆動ユニットと、制御ユニットと、受け部材５と、リターンバネと、トリガーユニットとを備え、挟持ユニットは携帯電話の両側を挟持可能で、携帯電話の底部側は受け部材に支持され、電気駆動ユニットは挟持ユニットを駆動し、制御ユニットは電気駆動ユニットを制御し、受け部材は短距離移動可能で、リターンバネは、受け部材に連結されると共に、外力なしの場合、受け部材を引っ張って初期位置に移動させ、トリガーユニットは、制御ユニットに電気的に接続されると共に、受け部材が外力を受けて押される場合にトリガーされており、制御ユニットが電気駆動ユニットを制御することで、挟持ユニットを離隔させてから挟持ユニット自体の弾性力によりクランプ状態に復帰する。【選択図】図１
0003218579.tif 000002
【実用新案登録請求の範囲】
【請求項１】
ハウジングと、
離隔後に弾性力により元の位置に復帰すると共に挟持状態を維持する相対移動可能の第一挟持アームと第二挟持アームを有し、前記ハウジングに取り付けられる挟持ユニットと、
前記ハウジング内に取り付けられ、前記挟持ユニットを駆動することで前記第一挟持アームと前記第二挟持アームを互いに離隔させる電気駆動ユニットと、
前記ハウジング内に取り付けられ、前記電気駆動ユニットに電気的に接続されることで前記電気駆動ユニットの動作モードと動作タイミングを制御する制御ユニットと、
前記ハウジングに取り付けられ、短距離移動可能の受け部材と、
前記ハウジング内に取り付けられると共に、前記受け部材に連結され、外力なしの場合、前記受け部材を引っ張って初期位置に移動させるリターンバネと、
前記ハウジングの内部に取り付けられると共に、前記制御ユニットに電気的に接続され、前記受け部材が外力を受けて押される場合にトリガーされ、前記制御ユニットが前記電気駆動ユニットを制御することで前記挟持ユニットを離隔させるトリガーユニットと、を備えることを特徴とする電動挟持装置。
【請求項２】
前記第一挟持アームと前記第二挟持アームの両者は、略Ｌ型の形状であり、左右相対に配置されると共に、一部が前記ハウジング内に取り付けられることで、互いにスムーズに接近又は離隔可能となりつつ前記ハウジングから分離不可能であり、
前記第一挟持アームの、前記ハウジング内における一部は第一止めプレートを有し、前記第一止めプレートは前記ハウジング内に位置する第一バネに接触し、前記第一バネは前記第一挟持アームの挟持力に寄与しており、
前記第二挟持アームの、前記ハウジング内における一部は第二止めプレートを有し、前記第二止めプレートは前記ハウジング内に位置する第二バネに接触し、前記第二バネは前記第二挟持アームの挟持力に寄与することを特徴とする請求項１に記載の電動挟持装置。
【請求項３】
前記電気駆動ユニットは、モータと、歯車と、第一押しブロックと、第二押しブロックとを有し、前記歯車は前記モータに駆動され、前記第一押しブロックは第一ラックを有し、前記第一ラックは前記歯車の底部位置に噛み合い、前記第二押しブロックは第二ラックを有し、前記第二ラックは前記歯車の頂部位置に噛み合っており、
前記歯車が回転すると、上下の異なる位置における前記第一押しブロックと第二押しブロックは互いに接近又は離隔可能となり、前記第一押しブロックは前記第一止めプレートに接触することで前記第一挟持アームが押され、前記第二押しブロックは前記第二止めプレートに接触することで第二挟持アームが押されることを特徴とする請求項２に記載の電動挟持装置。
【請求項４】
前記制御ユニットは前記電気駆動ユニットと前記トリガーユニットに電気的に接続される制御回路基板であり、前記制御ユニットにはコネクタが設けられ、前記コネクタはＵＳＢコネクタであることを特徴とする請求項１に記載の電動挟持装置。
【請求項５】
前記トリガーユニットはタッチスイッチであることを特徴とする請求項１に記載の電動挟持装置。
【請求項６】
前記受け部材は少なくとも１つの止めプレートと連結部からなる略Ｌ型のものであり、前記連結部は穿通のガイド槽と２列の単方向歯を有し、前記単方向歯は前記ガイド槽の両側に位置しており、
前記受け部材は作動部材と第三バネを更に有し、前記作動部材は外壁の相対位置に２つの凸歯を有すると共に、中央部に未穿通の収容槽を有し、前記ハウジングは外壁に変位孔を有し、前記変位孔の縦方向サイズは前記作動部材の外径より大きいものであることで、前記作動部材は前記変位孔内で移動可能となっており、
前記受け部材の組み立てが完了後、前記作動部材は、前記ガイド槽を通過すると共に、一部が前記変位孔を経由して外部まで延伸され、前記凸歯は前記単方向歯に噛み合い、前記第三バネは前記収容槽内に位置しており、
外力なしの場合、前記第三バネは前記凸歯が前記単方向歯に噛み合うことに寄与することを特徴とする請求項１に記載の電動挟持装置。
【請求項７】
前記リターンバネの一端部は前記ハウジング内に固定され、他端部は前記作動部材に引っ掛けられており、外力なしの場合、前記リターンバネは、前記作動部材の前記凸歯により前記連結部の前記単方向歯に噛み合うことで、前記受け部材を引っ張って初期位置に移動させることを特徴とする請求項６に記載の電動挟持装置。
【考案の詳細な説明】
【技術分野】
【０００１】
本考案は、電動挟持装置に関するもので、特に携帯電話に用いられる電動挟持装置に関するものである。
【背景技術】
【０００２】
科学技術の日進月歩により、現代人にとって携帯電話の普及率はほぼ１人に１台となって来ている。ある使用環境において、例えば自動車では、運転の安全性を高めるため、ハンズフリー装置により携帯電話を挟持することは推奨されている。公知のハンズフリー装置は、主にバネによりクランプ部材を駆動するか又はネジにより螺固されることから、ユーザは、当該駆動等のための力を加える必要があるので、使用面において不便である。そのため、あるメーカは電動挟持装置を考案し、同装置では、モータにより歯車セットが回転されることで挟持部材を駆動され、これにより挟持又は離隔を行う。また、他種類の装置はセンサの補助により自動離隔となるものの、ユーザが携帯電話を取り外そうとする場合、何れも手でスイッチをタッチしない限り前記挟持部材は離隔しない。しかしながら、公知の電動挟持装置で携帯電話を挟持すると、前記スイッチの位置は常に覆い隠されるため、前記スイッチがユーザに見られづらく又はタッチされにくくなってしまい、操作面において些か不便である。
【考案の概要】
【考案が解決しようとする課題】
【０００３】
本考案は、上記課題に鑑みてなされたもので、本考案者は、以下の詳細に説明する電動挟持装置を考案し、上記課題を解決した。
【０００４】
本考案の主な目的は、片手で押すことにより、携帯電話を自動的にクランプ又は解放することができる電動挟持装置を提供することにある。
【課題を解決するための手段】
【０００５】
上記の目的を達成するため、本考案は、ハウジングと、挟持ユニットと、電気駆動ユニットと、制御ユニットと、受け部材と、リターンバネと、トリガーユニットとを備え、前記挟持ユニットは、前記ハウジングに取り付けられると共に、相対移動可能な第一挟持アームと第二挟持アームを有し、前記第一挟持アームと前記第二挟持アームは弾性力により挟持状態を維持すると共に離隔後に元の位置に自動的に復帰し、前記電気駆動ユニットは、前記ハウジング内に取り付けられ、前記挟持ユニットを駆動することで前記第一挟持アームと前記第二挟持アームを互いに離隔させ、前記制御ユニットは、前記ハウジング内に取り付けられ、前記電気駆動ユニットに電気的に接続されることで前記電気駆動ユニットの動作モードと動作タイミングを制御し、前記受け部材は、前記ハウジングに取り付けられ、短距離移動可能であり、前記リターンバネは、前記ハウジング内に取り付けられると共に、前記受け部材に連結され、外力なしの場合、前記受け部材を引っ張って初期位置に移動させ、前記トリガーユニットは、前記ハウジングの内部に取り付けられると共に、前記制御ユニットに電気的に接続され、前記受け部材が外力を受けて移動する場合にトリガーされ、前記制御ユニットが前記電気駆動ユニットを制御することで前記挟持ユニットを離隔させることを特徴とする。
【０００６】
本考案の装置の操作ないし動作に際しては、使用しようとするユーザはまず、携帯電話で前記受け部材を押すことで前記挟持ユニットが自動的に離隔し、復帰する前に携帯電話をセットすることで挟持状態となる。携帯電話を取り外そうとする場合、同一の手順を踏むことで可能となるため、本考案はより便利な電動挟持装置を提供するものである。
【０００７】
本考案の実施例において、前記第一挟持アームと前記第二挟持アームの両者は、略Ｌ型の形状であり、左右相対に配置されると共に一部が前記ハウジング内に取り付けられることで、互いにスムーズに接近又は離隔可能となりつつ前記ハウジングから分離不可能であり、前記第一挟持アームの、前記ハウジング内における一部は第一止めプレートを有し、前記第一止めプレートは前記ハウジング内の第一バネに接触し、前記第一バネは前記第一挟持アームの挟持力に寄与しており、前記第二挟持アームの、前記ハウジング内における一部は第二止めプレートを有し、前記第二止めプレートは前記ハウジング内の第二バネに接触し、前記第二バネは前記第二挟持アームの挟持力に寄与する。
【０００８】
本考案の実施例において、前記電気駆動ユニットは、モータと、歯車と、第一押しブロックと、第二押しブロックとを有し、前記歯車は前記モータに駆動され、前記第一押しブロックは第一ラックを有し、前記第一ラックは前記歯車の底部位置に噛み合い、前記第二押しブロックは第二ラックを有し、前記第二ラックは前記歯車の頂部位置に噛み合っており、前記歯車が回転すると、上下の異なる位置における前記第一押しブロックと第二押しブロックは互いに接近又は離隔可能となり、前記第一押しブロックは前記第一止めプレートに接触することで前記第一挟持アームが押され、前記第二押しブロックは前記第二止めプレートに接触することで第二挟持アームが押される。
【０００９】
本考案の実施例において、前記制御ユニットは制御回路基板であり、前記電気駆動ユニットと前記トリガーユニットに電気的に接続されることで、前記電気駆動ユニットのモータの動作モードと動作タイミングを制御しており、前記制御ユニットにはコネクタが設けられ、前記コネクタはＵＳＢコネクタであり、外部電力はこれを経由して装置内部に供給される。
【００１０】
本考案の実施例において、前記トリガーユニットはタッチスイッチであり、２つの金属弾性プレートが設けられており、これらの金属弾性プレートが押されて接触すると、信号が生成されて前記制御ユニットに送信される。
【００１１】
本考案の実施例において、前記受け部材は少なくとも１つの止めプレートと連結部からなる略Ｌ型のものであり、前記連結部は穿通のガイド槽と２列の単方向歯を有し、前記単方向歯は前記ガイド槽の両側に位置されており、前記受け部材は作動部材と第三バネを更に有し、前記作動部材は外壁の相対位置に２つの凸歯を有すると共に、中央部に未穿通の収容槽を有し、前記ハウジングは外壁に変位孔を有し、前記変位孔の縦方向サイズは前記作動部材の外径より大きくすることで、前記作動部材は前記変位孔内で移動するようになっており、前記受け部材の組み立てが完了後、前記作動部材は、前記ガイド槽を通過すると共に、一部が前記変位孔を経由して外部まで延伸され、前記凸歯は前記単方向歯に噛み合い、前記第三バネは前記収容槽内に位置しており、外力なしの場合、前記第三バネは前記凸歯が前記単方向歯に噛み合うことに寄与する。
【００１２】
本考案の当該実施例において、前記リターンバネの一端部は前記ハウジング内に固定され、他端部は前記作動部材に引っ掛けられており、外力なしの場合、前記リターンバネは、前記作動部材の前記凸歯により前記連結部の前記単方向歯に噛み合うことで、前記受け部材を引っ張って初期位置に移動させる。
【考案の効果】
【００１３】
本考案の電動挟持装置によれば、片手で押すことにより、携帯電話を自動的にクランプ又は解放することができる。その結果、ユーザは片手でも操作可能であることから、使用の利便性を高めることができる。
【００１４】
以下、図面を参照しながら、本考案を実施するための形態について、当業者が明細書に照らして実施できるよう詳しく説明する。
【図面の簡単な説明】
【００１５】
【図１】本考案の立体図である。
【図２】本考案のフロントカバーを外した状態での内部構造を示す図である。
【図３】本考案の分解図である。
【図４】本考案の挟持ユニットが離隔する状態での内部構造の動作を示す図である。
【図５】図１におけるＡ-Ａ面の横方向断面図である。
【図６】本考案の縦方向断面の部分拡大図（一）であって、同図に示す位置は作動部材の中心を通過するものである。
【図７】本考案の縦方向断面の部分拡大図（二）であって、同図に示す位置は凸歯と単方向歯の噛合箇所である。
【図８】本考案の操作状態を示す図である。
【考案を実施するための形態】
【００１６】
図１、図２、図３のそれぞれは、本考案の立体図、内部構造を示す図、分解図である。本考案の電動挟持装置は、ハウジング１と、挟持ユニット２と、電気駆動ユニット３と、制御ユニット４と、受け部材５と、リターンバネ６と、トリガーユニット７とを備える。前記挟持ユニット２は、第一挟持アーム２１と第二挟持アーム２２を有する。
【００１７】
本考案の動作として、ユーザの携帯電話を挟持しようとする場合、携帯電話の底部側で前記受け部材５を押すことで、前記トリガーユニット７がトリガーされ、前記制御ユニット４が前記電気駆動ユニット３を制御することで、前記挟持ユニット２が前記電気駆動ユニット３により離隔し、その復帰前に携帯電話をセットすることでクランプ状態となる。ユーザが携帯電話を取り外そうとする場合、前記受け部材５を押す同一の手順を踏むことで、前記挟持ユニット２の離隔後に携帯電話を取り外せばよい。何れの手順においても、他のスイッチをタッチする必要がないため、ユーザは片手でも操作可能であることから、使用の利便性を高めることができる。
【００１８】
次に、各部材の構造について詳しく説明する。
【００１９】
前記ハウジング１はフロントカバー１１とベースハウジング１２を有し、これらが対面することで内部に形成される空間は前記各部材を収容するためのものである。前記フロントカバー１１は露出された載置面１１１を有し、前記載置面１１１は携帯電話のセット箇所である。前記ベースハウジング１２内には前記各部材を収容するための相対の槽ベースが設けられ、例えば、第一槽ベース１２１は前記電気駆動ユニット３の主な部材を収容するためのものである。ガイド槽セット１２２は、前記第一挟持アーム２１と第二挟持アーム２２をスムーズにスライドさせるためのものであると共に、前記電気駆動ユニット３と前記挟持ユニット２の動作空間である。スライドホルダ１２３は、前記受け部材５が取り付けられるためのものである。変位孔１２４は、前記受け部材５と連動する部材が外部まで延伸するためのものである。
【００２０】
前記挟持ユニット２は前記第一挟持アーム２１と前記第二挟持アーム２２を有し、前記第一挟持アーム２１と前記第二挟持アーム２２の両者は、略Ｌ型の形状であり、左右相対に配置されると共に一部が前記ハウジング１内に取り付けられることで、互いにスムーズに接近又は離隔可能となりつつ前記ハウジング１から分離不可能である。前記第一挟持アーム２１と第二挟持アーム２２が前記ハウジング１外まで延伸される部分は前記載置面１１１の両側に位置することで、前記携帯電話を挟持可能となる。
【００２１】
本実施例において、外力なしの場合、前記第一挟持アーム２１と第二挟持アーム２２は、挟持力と離隔後に自動的に元の位置に復帰する状態を維持する必要があるため、前記ベースハウジング１２の内部にはこれらに接触する少なくとも１つのバネが設けられる。本実施例では２つのバネが設けられ、それぞれは第一バネ２３と第二バネ２４である。
【００２２】
前記第一挟持アーム２１はベースハウジング１２側に向けて第一止めプレート２１１が延伸されており、挟持ユニット２の組み立てが完了後、前記第一バネ２３は、前記ベースハウジング１２内と前記第一止めプレート２１１との間に位置し、前記第一バネ２３から前記第一挟持アーム２１の挟持力と移動後に自己の弾性力で元の位置に復帰する付勢力を提供することとなる。
【００２３】
前記第二挟持アーム２２はベースハウジング１２側に向けて第二止めプレート２２１が延伸されており、挟持ユニット２の組み立てが完了後、前記第二バネ２４は、前記ベースハウジング１２内と前記第二止めプレート２２１との間に位置し、前記第二バネ２４から前記第二挟持アーム２２の挟持力と移動後に自己の弾性力で元の位置に復帰する付勢力を提供することとなる。
【００２４】
前記電気駆動ユニット３は前記挟持ユニット２の離隔に寄与する。前記電気駆動ユニット３は、モータ３１と、歯車３２と、第一押しブロック３３と、第二押しブロック３４とを有する。前記歯車３２は前記モータ３１に駆動され、前記第一押しブロック３３は第一ラック３３１を有し、前記第一ラック３３１は前記歯車３２の底部位置に噛み合い、前記第二押しブロック３４は第二ラック３４１を有し、前記第二ラック３４１は前記歯車３２の頂部位置に噛み合っており、これにより前記歯車３２が回転すると、前記第一押しブロック３３と第二押しブロック３４はそれぞれ上下の位置にあるため、互いに接近又は離隔可能となる。
【００２５】
図４に示すように、実際の動作状態において、前記第一押しブロック３３は前記第一止めプレート２１１に接触することで前記第一挟持アーム２１が押され、前記第二押しブロック３４は前記第二止めプレート２２１に接触することで前記第二挟持アーム２２が押される。
【００２６】
本実施例において、前記電気駆動ユニット３は主に前記挟持ユニット２の離隔を駆動するためのもので、離隔後の復帰は前記挟持ユニット２自体の弾性力によるものである。前記電気駆動ユニット３の動作モードは、常に数回の時計回りの動作をして暫く静止してから、数回の反時計回りの動作をするようになる。
【００２７】
前記電気駆動ユニット３が時計回りの動作をすると、前記第一押しブロック３３と第二押しブロック３４は連動され互いに離隔となり、この際に前記第一挟持アーム２１と第二挟持アーム２２が移動されつつ離隔される（図４に示すように）。
【００２８】
一方、反時計回りの動作をすると、前記第一押しブロック３３と第二押しブロック３４は連動され元の位置に復帰となり、前記第一挟持アーム２１と第二挟持アーム２２も連動されつつ移動されるものの、それらの移動は主に前記第一バネ２３と前記第二バネ２４の弾性力によるものである。携帯電話が挟持される場合、前記第一挟持アーム２１と第二挟持アーム２２は初期位置に移動しないことから、幅が異なる携帯電話でも本考案の装置によりクランプ可能である。
【００２９】
前記制御ユニット４は回路基板であり、前記電気駆動ユニット３と前記トリガーユニット７に電気的に接続されることで、前記モータ３１の動作タイミングとモードを制御する。前記制御ユニット４にはコネクタ４１が設けられ、前記コネクタ４１はＵＳＢコネクタであり、外部電力はこれを経由して装置内部に供給される。
【００３０】
前記受け部材５は、略Ｌ型の形状であり、一部が前記ハウジング１に取り付けられ、外部まで延伸される部分が前記載置面１１１から突出される。前記受け部材５は前記携帯電話の底部側を支持するためのものであり、携帯電話の落下を防止することができる。本考案において、前記受け部材５のもう一つ主な目的は、前記トリガーユニット７に併せて電動挟持装置の動作手段とすることである。
【００３１】
前記受け部材５の組み立てが完了後、前記受け部材５は、縦方向の短距離移動が可能とすることで、前記トリガーユニット７がトリガーされることとなると共に、外力消失後に元の位置に復帰することができる。これは前記リターンバネ６が寄与することであり、前記リターンバネ６は、前記ベースハウジング１２内に設置され、一端部が前記ベースハウジング１２の固定柱１２６に固定され、他端部が前記受け部材５に固定される。
【００３２】
外力なしの場合、前記リターンバネ６は自己の弾性力により、前記受け部材を引っ張って初期位置、即ち、前記挟持ユニット２側の近傍位置に移動させる。これにより、前記受け部材５が下へ押されると、前記トリガーユニット７はトリガーされることとなる。なお、前記リターンバネ６の弾性力を携帯電話の重さより大きくすることで、セットした携帯電話への不必要なタッチを防止することができる。
【００３３】
前記トリガーユニット７はタッチスイッチであり、２つの金属弾性プレート７１と７２が設けられており、これらの金属弾性プレート７１、７２が押されて接触すると、信号が生成されて前記制御ユニット４に送信される。本実施例において、前記トリガーユニット７は、前記ベースハウジング１２の固定ベース１２５に取り付けられると共に、前記制御ユニット４に電気的に接続される。前記トリガーユニット７の位置は、前記受け部材５に隣接する。
【００３４】
本考案の電動挟持装置が単一サイズの携帯電話に適用される場合、前記受け部材５の縦方向位置は固定され、即ち、縦方向位置は大幅に調整することができなくなり、短距離移動のみ可能となる。実際に、１〜３ｍｍのみの短距離移動が可能である。
【００３５】
しかしながら、本考案は運用範囲を拡大して異なる高さの携帯電話に適用されるため、本実施例において、前記受け部材５の縦方向位置は調整可能とし、同部材の構成は作動部材８１と第三バネ８２を有する。本実施例において、前記受け部材５は少なくとも１つの止めプレート５１と連結部５２からなる略Ｌ型のものであり、前記連結部５２は縦方向穿通のガイド槽５２１と２列の単方向歯５２２を有し、前記単方向歯５２２は前記ガイド槽５２１の両側に位置する。
【００３６】
前記作動部材８１は、円筒状であり、外壁の相対位置に２つの凸歯８１１を有する共に、中央部に未穿通の収容槽８１２を有する。前記第三バネ８２は前記収容槽８１２内に収容可能で、前記ベースハウジング１２の前記変位孔１２４の位置は前記作動部材８１に対応し、前記変位孔１２４の縦方向サイズＬ１は前記作動部材８１の外径Ｌ２より大きい（図６に示すように）とすることで、前記作動部材８１は前記変位孔１２４内に上下移動可能となる。
【００３７】
受け部材５の組み立てが完了後の各部材の相対位置は図５、図６、図７を参照されたい。前記作動部材８１は、前記ガイド槽５２１を通過すると共に、一部が前記変位孔１２４を経由して外部まで延伸され、前記凸歯８１１は前記単方向歯５２２に噛み合い、前記第三バネ８２は前記収容槽８１２内に位置しており、外力なしの場合、前記第三バネ８２は前記凸歯８１１が前記単方向歯５２２に噛み合うことに寄与することで、前記受け部材５の調整後の縦方向位置を固定する。前記リターンバネ６の一端部は前記固定柱１２６に固定され、他端部は前記作動部材８１の外周に引っ掛けられることで、前記受け部材５を引っ張ってより高い初期位置に位置する。前記作動部材８１は前記トリガーユニット７の金属弾性プレート７１に接触する。
【００３８】
図５に示すように、ユーザが前記受け部材５の前記ハウジング１外まで延伸される縦方向位置を調整したい場合、前記作動部材８１を前記ハウジング１側に押すことで（図５の矢印に示すように）、前記第三バネ８２の弾性力が相殺されると共に、前記凸歯８１１が前記単方向歯５２２から分離され、前記連結部５２を下へ押すことができる（図４に示すように）。これにより、前記受け部材５の、前記ハウジング１における縦方向位置を大幅に変更することができる。
【００３９】
図８に示すように、実際に操作する場合、ユーザが、携帯電話の底部側で前記リターンバネ６の弾性力より大きい付勢力を前記受け部材５に加えると、前記凸歯８１１は前記単方向歯５２２に噛み合うことから、前記作動部材８１は共に下へ移動し、前記トリガーユニット７の金属弾性プレート７１、７２は接触して信号を生成しており、前記制御ユニット４が前記電気駆動ユニット３の動作を制御することで、前記挟持ユニット２を離隔させる。本実施例において、前記受け部材５は１〜３ｍｍのみの短距離移動が可能である。
【００４０】
これにより、通常の使用状態において、本考案の電動挟持装置は、前記挟持ユニット２が挟持状態である。ユーザが携帯電話を挟持しようとする場合、前記携帯電話の底部側で前記受け部材５を下へ押すことで、内部の前記トリガーユニット７はトリガーされており、前記制御ユニット４が前記電気駆動ユニット３の動作を制御することで、前記挟持ユニット２の第一挟持アーム２１と第二挟持アーム２２が離隔、静止、挟持の状態を順番に行うこととなる。
【００４１】
ユーザは静止状態の際に携帯電話をセットして、挟持状態になると携帯電話が挟持される。挟持状態とは、内部の第一バネ２３、第二バネ２４からの挟持力によるものであるため、本考案は様々な幅の携帯電話に適用可能である。携帯電話を取り外そうとする場合、同一の手順を踏むことで可能となるため、ユーザは片手で押すことにより、携帯電話を自動的に挟持又は解放することができる。
【００４２】
更に、本考案の挟持ユニット２の最初の離隔状態は、レーダーマイクロ波センサにより動作を実現してもよい。図１、図２、図３に示すように、前記フロントカバー１１には更に２つの取付孔１１３が設けられ、２つのレーダーマイクロ波センサ９は前記取付孔１１３内に設置される。前記レーダーマイクロ波センサ９は前記制御ユニット４に電気的に接続され、本実施例において、前記レーダーマイクロ波センサ９は前記制御ユニット４上に設置される。
【００４３】
本考案の実施例の操作ないし動作としては、まず、携帯電話が前記電動挟持装置に接近すると、前記レーダーマイクロ波センサ９が接近する外物を感知することから、信号が生成されて前記制御ユニット４に送信され、前記制御ユニット４が前記電気駆動ユニット３を制御することで、前記挟持ユニット２を離隔させる。なお、携帯電話を取り外そうとする場合、一連の動作は上記実施例と同一である。
【００４４】
上記内容は本考案の好適な実施例に過ぎず、本考案の実施例の範囲を制限するものではなく、また、本考案の実用新案登録請求の範囲に基づく均等の変更や改良は本考案の実用新案登録請求の範囲に含まれるべきである。
【符号の説明】
【００４５】
１          ハウジング
１１        フロントカバー
１１１      載置面
１１３      取付孔
１２        ベースハウジング
１２１      第一槽ベース
１２２      ガイド槽セット
１２３      スライドホルダ
１２４      変位孔
１２５      固定ベース
１２６      固定柱
２          挟持ユニット
２１        第一挟持アーム
２１１      第一止めプレート
２２        第二挟持アーム
２２１      第二止めプレート
２３        第一バネ
２４        第二バネ
３          電気駆動ユニット
３１        モータ
３２        歯車
３３        第一押しブロック
３４        第二押しブロック
４          制御ユニット
４１        コネクタ
５          受け部材
５１        止めプレート
５２        連結部
５２１      ガイド槽
５２２      単方向歯
６          リターンバネ
７          トリガーユニット
７１        金属弾性プレート
７２        金属弾性プレート
８１        作動部材
８１１      凸歯
８１２      収容槽
８２        第三バネ
９          レーダーマイクロ波センサ
Ｌ１        縦方向サイズ
Ｌ２        外径
【図１】
0003218579.tif 000003
【図２】
0003218579.tif 000004
【図３】
0003218579.tif 000005
【図４】
0003218579.tif 000006
【図５】
0003218579.tif 000007
【図６】
0003218579.tif 000008
【図７】
0003218579.tif 000009
【図８】
0003218579.tif 000010